(57)【要約】【課題】より簡易な方法で照明装置の制御用プログラムを更新することが可能な照明制御システムを提供する。【解決手段】照明制御システム１００は、照明装置１０と調光装置１とを備える。照明装置１０は、記録部とマイコン１３とを有する。記録部は、照明の制御に用いられるプログラムを記録する。マイコン１３は、プログラムに応じて照明の状態を制御する。調光装置１は、調光信号線を介して照明装置１０に接続され、ＰＷＭのデューティ比に応じた調光信号を照明装置１０に送信する。調光信号線を通して照明装置１０に入力される所定のＰＷＭのデューティ比のパターンによって構成される開始信号を照明装置１０が受信した場合に、マイコン１３は、開始信号の後に受信された信号に含まれるデータを新しいプログラムのデータとしてプログラムを更新するように記録部に記録する。【選択図】図２
2014093249.tif 000002
【特許請求の範囲】
【請求項１】
照明の制御に用いられるプログラムを記録する記録部と、前記プログラムに応じて照明の状態を制御するマイコンとを有した照明装置と、
調光信号線を介して前記照明装置に接続され、ＰＷＭのデューティ比に応じた調光信号を前記照明装置に送信する調光装置とを備え、
前記調光信号線を通して前記照明装置に入力される所定のＰＷＭのデューティ比のパターンによって構成される開始信号を前記照明装置が受信した場合に、前記マイコンは、前記開始信号の後に受信された信号に含まれるデータを新しい前記プログラムのデータとして前記プログラムを更新するように前記記録部に記録する、照明制御システム。
【請求項２】
前記開始信号の後に前記照明装置が受信する信号は、前記プログラムのバージョンの情報を含み、
前記マイコンは、前記開始信号の後に前記照明装置が受信する信号に含まれる前記プログラムのバージョンの情報が示す前記バージョンが、前記マイコンが前記開始信号を受信した時点において前記記録部に記憶されている前記プログラムのバージョンよりも新規であると判定した場合に、前記プログラムのデータを更新する、
請求項１に記載の照明制御システム。
【請求項３】
前記マイコンは、前記照明装置の電源が入力されてから所定の時間の間に、前記開始信号の受信を判定する、請求項１または請求項２に記載の照明制御システム。
【請求項４】
前記照明装置は、前記開始信号を受信した場合に、前記開始信号の受信を報知するための所定の照明の状態で点灯する、
請求項１から請求項３までのいずれか１項に記載の照明制御システム。
【発明の詳細な説明】
【技術分野】
【０００１】
本発明は、照明制御システムに関する。
【背景技術】
【０００２】
ビル等の商業施設に設置される複数の照明器具を制御する照明制御システムのうち、特開２００１−２７３９８０号公報（以下、特許文献１という）に記載された照明制御システムが従来から知られている。
【０００３】
特許文献１に記載の照明制御システムは、各種データが伝送される通信ネットワークと、通信ネットワークに接続される単独または複数の調光端末器と、調光端末器によって照明出力が制御される照明器具と、通信ネットワークに接続され、且つ、調光端末器に対して各種制御を指示するコントロール部とを備えている。特許文献１に記載の照明制御システムにおいて、コントロール部は、通信ネットワークを介して調光端末器に各種データを伝送し、各調光端末器の各種制御を行う。
【０００４】
また、特許文献１に記載の照明制御システムは、通信ネットワークに接続されるプログラマを備えている。プログラマは、通信ネットワークを介して調光端末器に動作プログラムの書き換えコマンドを伝送する。書き換えコマンドを受信する調光端末器は、プログラマから動作プログラムをダウンロードし、動作プログラムを書き換える。
【先行技術文献】
【特許文献】
【０００５】
【特許文献１】特開２００１−２７３９８０号公報
【発明の概要】
【発明が解決しようとする課題】
【０００６】
上記のように、各調光端末器がコントロール部によって通常に制御される場合には、通信ネットワークを介して各調光端末器に各種データが伝送される。一方、動作プログラムが書き換えられる場合には、通信ネットワークを介してプログラマから各調光端末器に、通常時とは異なる特別なコマンドとして、動作プログラムの書き換えコマンドが伝送される。このように、特許文献１に記載された照明制御システムにおいては、各調光端末器による制御に用いられる各種データとは別に、特別なコマンドによって動作プログラムが書き換えられる。
【０００７】
一方、特許文献１に記載された照明制御システムのような照明制御システムとは異なり、調光端末器が通信機能を有さずに調光線を介して調光信号を照明装置に送信する機能のみを有し、照明装置が有するマイコン等の制御部に動作プログラムが書き込まれている照明システムが存在する。
【０００８】
このような照明システムにおいて、照明装置の動作プログラムを書き換える場合には、照明装置１台ごとにマイコンが搭載された基板を取り出し、プログラムライター等で書き換え作業を行う必要がある。特に複数の照明装置に対してこのような作業を行う場合には、非常に労力を要する。
【０００９】
そこで、本発明の目的は、より簡易な方法で照明装置の制御用プログラムを更新することが可能な照明制御システムを提供することである。
【課題を解決するための手段】
【００１０】
本発明に従った照明制御システムは、照明装置と調光装置とを備える。照明装置は、記録部とマイコンとを有する。記録部は、照明の制御に用いられるプログラムを記録する。マイコンは、プログラムに応じて照明の状態を制御する。調光装置は、調光信号線を介して照明装置に接続され、ＰＷＭのデューティ比に応じた調光信号を照明装置に送信する。
【００１１】
調光信号線を通して照明装置に入力される所定のＰＷＭのデューティ比のパターンによって構成される開始信号を照明装置が受信した場合に、マイコンは、開始信号の後に受信された信号に含まれるデータを新しいプログラムのデータとしてプログラムを更新するように記録部に記録する。
【００１２】
本発明に従った照明制御システムにおいては、照明装置と調光装置とを接続する調光信号線を利用することによって、照明装置が天井に設置されたままでもプログラムを書き換えることができる。詳細には、照明制御システムは、ＰＷＭのデューティ比をデータに見立てたうえで模擬の通信を行うことによって、プログラムを書き換えるように構成されている。このように、本発明によれば、調光信号線を介して調光装置に複数の照明装置が接続される場合であっても、複数の照明装置のプログラムを一度に書き換えることができるため、作業性の向上が可能である。
【００１３】
さらに、ＰＷＭのデューティ比をデータに見立てたうえで模擬の通信を行うことによってプログラムを更新することが可能であるため、本発明に従った照明制御システムには、通信の機能を特別に搭載する必要がない。また、プログラムの更新に用いられる特別なデータの代わりにデューティ比を用いることができるため、通常の照明の制御に用いられる処理として、照明装置に入力されるＰＷＭを読み込む処理をそのまま流用することができる。そのため、追加の処理を大幅に軽減することができる。
【００１４】
このように、本発明に従った照明制御システムにおいては、通常時のように照明装置の照明の状態が制御される場合と、プログラムが更新される場合とに、それぞれ、ＰＷＭ信号が照明装置に伝送される。すなわち、本発明に従った照明制御システムにおいては、調光信号を介してＰＷＭ信号によって照明装置のプログラムを書き換えることができる。このように、本発明に従った照明制御システムにおいては、より簡易な信号を用いることによって、より簡易に当該システムを構成することができる。
【００１５】
このようにすることにより、より簡易な方法で照明装置の制御用プログラムを更新することが可能な照明制御システムを提供することができる。
【００１６】
本発明に従った照明制御システムにおいて、開始信号の後に照明装置が受信する信号は、好ましくは、プログラムのバージョンの情報を含む。マイコンは、好ましくは、開始信号の後に照明装置が受信する信号に含まれるプログラムのバージョンの情報が示すバージョンが、マイコンが開始信号を受信した時点において記録部に記憶されているプログラムのバージョンよりも新規であると判定した場合に、プログラムのデータを更新する。
【００１７】
この構成によれば、プログラムの更新が必要な照明装置のみに対してプログラムを書き換えさせることができる。また、同一のバージョンのプログラムの更新の開始を知らせる開始信号が照明装置に入力される度に、照明装置が同一のプログラムを書き換えるような事態は発生しない。そのため、プログラムの書き換えが必要な照明装置のみに対して、再度、プログラムを容易に書き換えさせることができる。
【００１８】
ところで、特許文献１に記載された照明制御システムにおいては、照明用空間に設置された照明器具のうちの動作プログラムの更新が必要な照明器具に対応した調光端末器のみに、プログラマによって動作プログラムを書き換えることについて、考慮されていない。すなわち、照明用空間に設置された複数の照明器具のうちの一部に対して動作プログラムのバージョンを更新する場合、複数の照明器具のうちの一部のみを入れ替える場合または照明用空間に照明器具を追加する場合等に、該当する照明器具に対応した調光端末器のみに必要な動作プログラムを個別に書き換えさせることはできないと考えられる。
【００１９】
このように、特許文献１に記載された照明制御システムにおいては、例えば、同一のバージョンの動作プログラムの書き換えコマンドが調光端末器に伝送される度に、調光端末器が同一の動作プログラムを書き換えるような事態が発生する。
【００２０】
一方、本発明に従った照明制御システムの構成によれば、プログラムの更新が必要な照明装置のみにおいてプログラムを容易に書き換えることができる。
【００２１】
本発明に従った照明制御システムにおいて、マイコンは、好ましくは、照明装置の電源が入力されてから所定の時間の間に、開始信号の受信を判定する。
【００２２】
この構成によれば、照明装置のマイコンは、所定の時間の間において、ＰＷＭのデューティ比に応じた調光信号のうち、通常の信号と、プログラム更新の開始を知らせる開始信号とを区別することができる。このように、所定の時間を掛けて、照明装置が受信する信号について、ＰＷＭのデューティ比に応じた調光信号のうちの通常の信号と開始信号とをマイコンに容易に判定させることができる。
【００２３】
本発明に従った照明制御システムにおいて、照明装置は、好ましくは、開始信号を受信した場合に、開始信号の受信を報知するための所定の照明の状態で点灯する。
【００２４】
この構成によれば、プログラムを実際に書き換えている照明装置が、例えば、通常時に点灯する状態と異なった所定の照明の状態で点灯することにより、プログラムの更新が成功したかどうかを作業者が容易に判断することができる。このように、この構成によれば、プログラムの更新の作業性を向上させることができる。
【発明の効果】
【００２５】
以上のように、本発明によれば、より簡易な方法で照明装置の制御用プログラムを更新することが可能な照明制御システムを提供することができる。
【図面の簡単な説明】
【００２６】
【図１】本発明に係る照明制御システムのブロック図である。
【図２】本発明に係る照明制御システムの特に制御装置の構成を詳細に示すブロック図である。
【図３】本発明に係る照明制御システムにおける照明装置のマイコンのブロック図である。
【図４】本発明に係る照明制御システムにおいてプログラムの更新時に用いられる信号のデータ部の構成の一例を示す模式図である。
【図５】本発明に係る照明制御システムにおいてプログラムの更新時に用いられる信号に含まれるバージョンデータの数値の一例を示す図である。
【図６】本発明に係る照明制御システムの照明装置が実行する制御のフローチャートである。
【図７】本発明に係る照明制御システムの照明装置が実行する制御のフローチャートである。
【図８】本発明に係る照明制御システムにおける照明装置の記録部の構成の一例を示す模式図である。
【発明を実施するための形態】
【００２７】
以下、本発明の実施の形態を図面に基づいて説明する。
【００２８】
図１に、ビル等の商業施設に設置される複数の照明装置を制御する照明制御システム１００を示す。図１に示すように、照明制御システム１００は、照明用空間に設置される複数の照明装置１０として、照明装置１０ａ，１０ｂ，１０ｃ，・・・，１０ｘと、調光装置１と制御装置２０とを備えている。照明装置１０ａ，１０ｂ，１０ｃ，・・・，１０ｘは、調光信号線を介して調光装置１に接続されている。また、照明装置１０ａ，１０ｂ，１０ｃ，・・・，１０ｘは、調光信号線を介して互いに接続されている。
【００２９】
なお、照明装置１０ａ，１０ｂ，１０ｃ，・・・，１０ｘのそれぞれの構成は同様であるため、以下においては、照明装置１０ａ，１０ｂ，１０ｃ，・・・，１０ｘのうちのいずれかを示す照明装置を照明装置１０という。照明制御システム１００において所定の照明用空間に設置される照明装置１０の数は限定されない。
【００３０】
調光装置１は、調光信号線を介して照明装置１０に接続される。調光装置１は、照明装置１０の点灯の状態が制御される場合に、ＰＷＭ（Pulse-width modulation）のデューティ比が第１のパターンによって表される信号を照明装置１０に伝送する。なお、第１のパターンによって表されるデューティ比とは、照明装置１０の調光加減に応じたデューティ比である。一定の調光の状態すなわち照明の状態が維持される場合には、第１のパターンによって表されるデューティ比は一定である。
【００３１】
第１のパターンによって表される信号は、通常の調光信号であって、デューティ比が変化するものではなく、一定のデューティ比のＰＷＭの信号によって構成された信号である。照明装置１０の通常の使用時においては、照明装置１０に伝送される信号のうち、調光量が遷移する期間のみにおいて、デューティが変化した信号が照明装置１０に伝送される。
【００３２】
照明装置１０は、調光端子台１１と、Ｉ／Ｆ（インターフェース）回路１２と、マイコン１３と、電源回路部１４と、電源端子台１５と、光源ユニット部１６とを有する。調光信号線は、照明装置１０において調光端子台１１に接続される。Ｉ／Ｆ回路１２は調光端子台１１とマイコン１３とに接続されており、調光装置１または制御装置２０から伝送されるデータを含む各種信号がＩ／Ｆ回路１２を介してマイコン１３に入力される。照明装置１０においては、光源として複数の発光ダイオード（ＬＥＤ）が用いられている。
【００３３】
図示されていないが、照明装置１０は、外部の電源としての商用電源等に接続されている。照明装置１０においては、電源端子台１５にＡＣ（alternating current）線が接続される。電源回路部１４には、外部の電源から電力が供給される。電源回路部１４は、光源ユニット部１６に所定の電圧または電流を印加することによって、光源ユニット部１６を駆動させる。光源ユニット部１６においては、印加される電圧または電流に応じて各ＬＥＤの光度が変化する。ＬＥＤの光度の変化に応じて、照明装置１０における照度と色調とが調節される。照明装置１０の調光は、ＰＷＭのＯＮ／ＯＦＦデューティ比またはＤ／Ａ（デジタル−アナログ）出力等により、供給電力を変化させることで制御される。
【００３４】
照明装置１０の調光は、所定のプログラムに従って制御される。また、照明装置１０の調光は、入力されたＰＷＭの信号に基づいて、プログラムに従うようにマイコン１３によって制御される。このように、マイコン１３は、照明の制御に用いられるプログラムに応じて照明装置１０の照明の状態を制御する。
【００３５】
図２は、照明制御システム１００のブロック図であって、照明装置１０のプログラムの更新時に係る制御ブロックを示す図である。なお、プログラムの更新（言い換えると、書き換え）は、プログラム自体の不具合を修正する場合、または、ユーザーの意向によってフェードイン／フェードアウト等の照明の制御の仕様を変更する場合等に発生する。
【００３６】
図２に示すように、制御装置２０は、調光信号線を介して、複数の照明装置１０に接続されている。制御装置２０は、複数の照明装置１０に対して調光信号線を介してＰＷＭ信号を送信することができるように構成されている。制御装置２０は、プログラムの更新を開始する場合には、後述するようにデューティ比が第２のパターンによって変化する開始信号を照明装置１０に伝送する。
【００３７】
制御装置２０は、汎用のパーソナルコンピュータまたは専用の機器であって、作業者が照明用空間に持ち込むことができるものである。制御装置２０は、中央演算処理装置としてのＣＰＵ（Central Processing Unit）２１と、格納部２２と、ＰＷＭ出力回路２３と、調光信号用のＩ／Ｆ回路２４と、調光端子台２５と、操作部２７と、表示部２８とを有している。制御装置２０は、調光端子台２５に接続された調光信号線を介して、照明装置１０に接続される。
【００３８】
操作部２７は、照明装置１０に信号を送信するために操作されるものであって、キーボードまたはマウスを含む構成を有する。表示部２８は、制御装置２０が照明装置１０を制御する際に必要な情報を表示する。なお、操作部２７と表示部２８とは、液晶表示装置（ＬＣＤ：Liquid Crystal Display）を含むタッチパネルによって構成されていてもよい。
【００３９】
格納部２２は、照明装置１０の調光を制御するためのプログラムに関連するデータを格納する。ＣＰＵ２１は、格納部２２、表示部２８およびＰＷＭ出力回路２３に接続される。ＰＷＭ出力回路２３から照明装置１０に出力される所定の電流または電圧のＯＮ／ＯＦＦデューティ比は、ＣＰＵ２１の作動によって調整される。ＰＷＭ出力回路２３は、ＣＰＵ２１の指示に従って、信号においてＰＷＭを出力する。ＰＷＭ出力回路２３から出力される信号は、Ｉ／Ｆ回路２４と調光信号線とを介して照明装置１０に伝送される。
【００４０】
図３は、マイコン１３のブロック図である。図３に示すように、マイコン１３は、受信部３１と判定部３２と記録部３３と調光部３４とを含む構成を有する。
【００４１】
受信部３１は、Ｉ／Ｆ回路１２を通じて伝送されるデータを受信する。判定部３２は、受信部が受信する信号として、デューティ比を表す信号について、第１のパターンまたは第２のパターンを判定する。記録部３３は、プログラムのデータを記録する。なお、照明装置１０の調光に必要な制御に関連する他の判定についても、判定部３２によって判定される。
【００４２】
調光部３４は、記録部３３に格納されたプログラムに従って電源回路部１４を作動させる。プログラムに従って電源回路部１４が作動することによって、電源回路部１４から出力される所定の電力における電流のＯＮ／ＯＦＦデューティ比が調整される。光源ユニット部１６（図１参照）においては、デューティ比を含む電流値に基づいて各ＬＥＤの光度が変化する。このようにして、マイコン１３は、記録部３３に格納されたプログラムに従ってＰＷＭによって照明装置１０の調光を制御する。
【００４３】
また、調光部３４は、受信部３１が受信した調光信号に従って電源回路部１４を作動させる。調光部３４は、受信部３１が受信した信号に応じて、電源回路部１４から出力される電圧値または電流値を電源回路部１４に調節させる。これにより、Ｉ／Ｆ回路１２を介して調光装置１（図１参照）からマイコン１３に伝送される信号に応じて、電源回路部１４から出力される所定の電力における電流のＯＮ／ＯＦＦデューティ比が調整される。
【００４４】
後述するように、デューティ比が第２のパターンであることが判定部３２によって判定される場合に、第２のパターンによって変化するデータの後に送信される信号に含まれるデータをプログラムのデータとして受信部３１が受信し、且つ、受信したプログラムのデータを以降の実行用のプログラムとして記録部３３が記録する。
【００４５】
第２のパターンによって変化するデータを含む信号は、開始信号の一例である。開始信号とは、具体的には、ＰＷＭ信号のデューティ比を所定の時間の範囲で変化させたものである。つまり、開始信号は、通常使用時に調光信号として送信される一定のデューティ比の信号と区別して判別するために、デューティ比を変化させた信号である。
【００４６】
図４には、プログラムの更新時に用いられる信号のデータ部の構成の一例を示す。
制御装置２０から照明装置１０（いずれも図３参照）に伝送されるプログラム更新用の信号は、図４に示すように開始信号としての書き込み開始パターン部を有する。図４に示す書き込みパターン部におけるデューティ比は、第２のパターンの一例である。制御装置２０の操作部２７（いずれも図２参照）の操作によって制御装置２０から信号が出力されてから、２０％以下、８０％以下、２０％以下、・・・のデューティの変化が例えば５秒以上繰り返される。後述するように、照明装置１０（図３参照）は、照明装置１０において電源がオンされてから、所定の時間として例えば３０秒にわたってデューティ比を検知することにより、バージョンアップ等のプログラムの更新の開始を待機する。
【００４７】
なお、第２のパターンとしては、他の割合の組み合わせで構成されたＯＮ／ＯＦＦデューティ比の変化であってもよい。一方、上述したように、第１のパターンとしてのデューティ比は、照明装置１０（図１参照）の調光加減に応じたデューティ比である。一定の調光の状態が維持される場合には、第１のパターンによって表されるデューティ比は一定である。
【００４８】
図４に示すように、プログラム更新用のデータとしての信号は、遷移準備期間部とバージョンデータと書き込み用データとを含む。遷移準備期間部の信号は、書き込み開始パターン部の信号に続いて出力される。遷移準備期間部の信号としては、デューティが０％の信号が例えば１００ｍｓの間だけ出力される。
【００４９】
バージョンデータと書き込み用データとは、遷移準備期間部の信号に続いて出力される。書き込み用データは、新たなプログラムのデータとして、マイコン１３の記録部３３（図３参照）に記録されるデータである。プログラムのバージョンの情報としてのバージョンデータは、書き込み用データの直前に出力される。バージョンデータにおいては、１周期のデューティが、２０％以下、２０〜５０％、５０〜８０％、８０％以上である４パターンで構成されている。４周期分のこれら４パターンのデューティ比が組み合わさって、１バイト分のデータが表現される。
【００５０】
図５は、バージョンデータの数値の一例を示す図である。図５に示すように、１周期において２０％以下のデューティの信号は、００ｂｉｔに対応する。同様に、１周期において、２０〜５０％のデューティの信号は、０１ｂｉｔに対応し、５０〜８０％のデューティの信号は、１０ｂｉｔに対応し、８０％以上のデューティの信号は、１１ｂｉｔに対応する。つまり、図４と図５とを参照するように、ＶＤ（Version data）１＝０１ｂｉｔ、ＶＤ２＝１０ｂｉｔ、ＶＤ３＝００ｂｉｔ、ＶＤ４＝１１ｂｉｔとなり、これらＶＤ１〜４をＬＳＢ（最下位ビット：Least Significant Bit）とする場合に、ＶＤ１〜４は２進法で「１１０００１１０ｂ（０ｘＣ６）」と表現される。
【００５１】
以下においては、照明装置１０のプログラムを更新する際に実行される制御について、図６，７を用いて説明する。図６は、照明装置が実行する制御のフローチャートであって、照明装置がプログラムの更新の開始を受け付ける段階のものである。一方、図７は、照明装置が実行する制御のフローチャートであって、照明装置がプログラムを更新する段階のフローチャートである。
【００５２】
照明装置１０（図１参照）の電源（図示せず）がオンされた後に、図６に示すように、ステップＳ１０１において初期化処理が実行される。ステップＳ１０２において、受信部３１（図３参照）が信号を読み込む処理が実行される。ステップＳ１０３においては、ステップＳ１０２において受信部３１が信号を受信したか否かが判定される。受信部３１が信号を受信していないことが判定される場合はステップＳ１０４に進み、受信部３１が信号を受信したことが判定される場合はステップＳ１０６に進む。
【００５３】
ステップＳ１０４において所定の時間が経過していないことが判定される場合には、ステップＳ１０２に戻る。ステップＳ１０３〜１０４においては、調光装置１（図１参照）がつながっているか否かが判定される。調光装置１が照明装置１０（図１参照）につながっていなければ、ステップＳ１０５に進み、照明装置１０が１００％調光の状態で点灯する。
【００５４】
ステップＳ１０６においては、ステップＳ１０２において受信した信号に含まれるデューティが抽出される。ステップＳ１０７においては、電源がオンされてから３０秒が経過したか否かが判定される。ステップＳ１０７における３０秒の間に、書き込み開始信号の有無が検知される。ステップＳ１０７においてＹＥＳと判定される場合にはステップＳ１０８に進み、ステップＳ１０７においてＮＯと判定される場合にはステップＳ１１１に進む。
【００５５】
ステップＳ１０８においては、プログラムの更新が不要であるとステップＳ１０７において判定されたことから、通常の点灯の状態に則した制御が実行される。ステップＳ１０８においては、ステップＳ１０６において抽出したデューティ比の平均値が算出される。マイコン１３において、例えば受信部３１（いずれも図３参照）が演算の機能を有する。ステップＳ１０９においては、デューティ比の平均値が確定したか否かが判定される。デューティ比の平均値が確定しないことが判定される場合には、ステップＳ１０２に戻る。デューティ比の平均値が確定することが判定される場合には、ステップＳ１１０において、確定された平均値に応じた光度と色調とによって照明装置１０が調光される。
【００５６】
ステップＳ１１１においては、プログラムの更新が必要であるかどうかが判定される。ステップＳ１１１においては、ステップＳ１０６において抽出したデューティが書き込み開始パターン部の信号によるデューティであるか否か、つまり、ステップＳ１０６において抽出したデューティ比が第２のパターンであるか否かが判定される。ステップＳ１１１においてＹＥＳと判定される場合にはステップＳ１１２に進み、ステップＳ１１１においてＮＯと判定される場合にはステップＳ１０２に戻る。
【００５７】
ステップＳ１１２においては、第２のパターンとしてのデューティ比が５秒間継続するか否かが判定される。ステップＳ１１２においてＹＥＳと判定される場合にはステップＳ１１３に進み、ステップＳ１１２においてＮＯと判定される場合にはステップＳ１０２に戻る。
【００５８】
以上のステップＳ１０１〜Ｓ１１２によれば、照明装置１０（図２参照）の電源がオンされてから所定の時間の間に、制御装置２０（図２参照）から伝送されるデューティ比が第２のパターンであるか否かが判定部３２（図３参照）によって判定される。
【００５９】
ステップＳ１１３においては、図７に示す書き込み処理の制御が実行される。
【００６０】
ステップＳ１１１〜Ｓ１１２において第２のパターンのデューティ比が５秒間継続されることが判定された後には、図７に示すようにステップＳ１１４が実行される。ステップＳ１１４においては、書き込み開始パターン部（図４参照）の後に続く信号が読み込まれる。続いて、ステップＳ１１５においては、遷移準備期間部（図４参照）の信号が終了したか否かが判定される。ステップＳ１１５において、ＹＥＳと判定される場合はステップＳ１１６に進み、ＮＯと判定される場合はステップＳ１１４に戻る。
【００６１】
ステップＳ１１６においては、遷移準備期間部（図４参照）の後に続く信号が読み込まれる。続いて、ステップＳ１１７においては、ステップＳ１１６において受信した信号に含まれるデューティが抽出される。ステップＳ１１８においては、ステップＳ１１６において受信した信号に含まれる４周期分のデューティ（図４参照）が終了したか否かが判定される。ステップＳ１１８において、ＹＥＳと判定される場合はステップＳ１１９に進み、ＮＯと判定される場合はステップＳ１１６に戻る。
【００６２】
ステップＳ１１９においては、バージョンデータへのバイトデータの変換が実行される。続いて、ステップＳ１２０においては、バージョンデータの受信確認が終了したか否かが判定される。ステップＳ１２０において、ＹＥＳと判定される場合はステップＳ１２４に進み、ＮＯと判定される場合はステップＳ１２１に進む。
【００６３】
ステップＳ１２１においては、受信するバージョンデータが示すプログラムのバージョンと、記録部３３（図３参照）に現在格納されているプログラムのバージョンとが対比される。ステップＳ１２１において、受信するバージョンデータが現在のバージョンと異なることが判定される場合にはステップＳ１２２に進む。ステップＳ１２１において、受信するバージョンデータが現在のバージョンと同一であることが判定される場合には、書き込み処理の制御のルーチンを抜ける。なお、プログラムが新規にダウンロードされる場合等、バージョンのデータを含むプログラムのデータが記録部３３（図３参照）に現在格納されていない場合には、ステップＳ１２１においてＹＥＳと判定され、ステップＳ１２２に進む。
【００６４】
ステップＳ１２２においては、受信するバージョンデータが保持される。ステップＳ１２３においては、ＬＥＤが点滅するように照明装置１０（図２参照）の調光の状態が切り換えられる。
【００６５】
ステップＳ１２４においては、必要なデータの数が揃ったか否かが判定される。ステップＳ１２４において、ＹＥＳと判定される場合はステップＳ１２６に進み、ＮＯと判定される場合はステップＳ１２５に進む。ステップＳ１２５においては、受信するデータが記録部３３（図３参照）に順次記録される。
【００６６】
ここで、フラッシュメモリとしての記録部３３の構成について、図８を用いて説明する。図８に示すように、記録部３３は、初期化処理部３３１と、データ受信処理部３３２と、第１バンク３３３と、第２バンク３３４とを含む構成を有する。初期化処理部３３１は、マイコン１３（図３参照）の初期化の処理に必要なデータを格納する。データ受信処理部３３２は、プログラムの更新時に必要なデータを格納する。データ受信処理部３３２には、プログラムを更新するための通信の処理が格納されている。データ受信処理部３３２は、これら通信の処理を実行する。
【００６７】
更新用のデータは、第１バンク３３３または第２バンク３３４にのみに書き込まれる。例えば第１バンク３３３は、バージョンデータを含むプログラムのデータを格納する。プログラムの更新が開始される前における通常の調光の制御には、例えば第１バンク３３３に格納されたデータが用いられる。第２バンク３３４は、例えば、プログラムの更新が開始される前において空きのバンクである。図７のステップＳ１２５において順次記録されるデータは、第２バンク３３４に一時的に格納される。後述するように、プログラムの更新が完了する場合、つまり、必要なデータのすべてが制御装置２０から伝送された後には、通常の調光の制御の実行が例えば第１バンク３３３から第２バンク３３４に移行される。
【００６８】
図７に示すように、ステップＳ１２４において、必要なデータの数が揃ったことが判定される場合はステップＳ１２６に進む。ステップＳ１２６において、ＣＲＣ（Cyclic Redundancy Check）の一致が判定される場合には、ステップＳ１２７に進む。ステップＳ１２６において、ＣＲＣの不一致が判定される場合には、書き込み処理の制御のルーチンを抜ける。
【００６９】
ステップＳ１２７において、プログラムの更新が完了した照明装置１０（図２参照）のＬＥＤは、１０秒間全点灯する。制御装置２０（図２参照）を操作する作業者は、全点灯しない照明装置１０を視認することによって、この（または、これらの）全点灯しない照明装置１０においてプログラムの更新が失敗等したことを判断することができる。
【００７０】
ステップＳ１２８においては、上記のように、プログラムの実行のバンクが第１バンク３３３から第２バンク３３４（いずれも図８参照）に切り替えられる。続いて、ステップＳ１２９においては、リセット処理が実行された後に、書き込み処理の制御のルーチンを抜ける。
【００７１】
以上のように、照明制御システム１００は、照明装置１０と調光装置１とを備える。照明装置１０は、記録部３３を含むマイコン１３を有する。記録部３３は、照明の制御に用いられるプログラムを記録する。マイコン１３は、プログラムに応じて照明の状態を制御する。調光装置１は、調光信号線を介して照明装置１０に接続され、ＰＷＭのデューティ比に応じた調光信号を照明装置１０に送信する。
【００７２】
調光信号線を通して照明装置１０に入力される所定のＰＷＭのデューティ比のパターンによって構成される開始信号を照明装置１０が受信した場合に、マイコン１３は、開始信号の後に受信された信号に含まれるデータを新しいプログラムのデータとしてプログラムを更新するように記録部３３に記録する。
【００７３】
照明制御システム１００においては、照明装置１０と調光装置１とを接続する調光信号線を利用することによって、照明装置１０が天井に設置されたままでもプログラムを書き換えることができる。詳細には、照明制御システム１００は、ＰＷＭのデューティ比をデータに見立てたうえで模擬の通信を行うことによって、プログラムを書き換えるように構成されている。このように、照明制御システム１００によれば、調光信号線を介して調光装置１に接続された複数の照明装置１０のプログラムを一度に書き換えることができるため、作業性の向上が可能である。
【００７４】
さらに、ＰＷＭのデューティ比をデータに見立てたうえで模擬の通信を行うことによってプログラムを更新することが可能であるため、照明制御システム１００には、通信の機能を特別に搭載する必要がない。また、プログラムの更新に用いられる特別なデータの代わりにデューティ比を用いることができるため、通常の照明の制御に用いられる処理として、照明装置１０に入力されるＰＷＭを読み込む処理をそのまま流用することができる。そのため、追加の処理を大幅に軽減することができる。
【００７５】
このように、照明制御システム１００においては、通常時のように照明装置１０の照明の状態が制御される場合と、プログラムが更新される場合とに、それぞれ、ＰＷＭ信号が照明装置１０に伝送される。すなわち、照明制御システム１００においては、調光信号を介してＰＷＭ信号によって照明装置１０のプログラムを書き換えることができる。このように、照明制御システム１００においては、より簡易な信号を用いることによって、より簡易に当該システムを構成することができる。
【００７６】
このようにすることにより、より簡易な方法で照明装置１０の制御用プログラムを更新することが可能な照明制御システム１００を提供することができる。
【００７７】
照明制御システム１００において、開始信号の後に照明装置１０が受信する信号は、プログラムのバージョンの情報を含む。マイコン１３は、開始信号の後に照明装置１０が受信する信号に含まれるプログラムのバージョンの情報が示すバージョンが、マイコン１３が開始信号を受信した時点において記録部３３に記憶されているプログラムのバージョンよりも新規であると判定した場合に、プログラムのデータを更新する。
【００７８】
この構成によれば、プログラムの更新が必要な照明装置１０のみに対してプログラムを書き換えさせることができる。また、同一のバージョンのプログラムの更新の開始を知らせる開始信号が照明装置１０に入力される度に、照明装置１０が同一のプログラムを書き換えるような事態は発生しない。そのため、例えばプログラムの書き換えが失敗等した照明装置１０のようにプログラムの書き換えが必要な照明装置１０のみに対して、再度、プログラムを容易に書き換えさせることができる。
【００７９】
照明制御システム１００において、マイコン１３は、照明装置１０の電源が入力されてから所定の時間の間に、開始信号の受信を判定する。
【００８０】
この構成によれば、照明装置１０のマイコン１３は、所定の時間の間において、ＰＷＭのデューティ比に応じた調光信号のうち、通常の信号と、プログラム更新の開始を知らせる開始信号とを区別することができる。このように、所定の時間を掛けて、照明装置１０が受信する信号について、ＰＷＭのデューティ比に応じた調光信号のうちの通常の信号と開始信号とをマイコン１３に容易に判定させることができる。また、プログラムの更新の開始を知らせる信号としての開始信号を受け付ける時間を制限することによって、開始信号に略一致するような信号が意図されない時期に伝送される場合等に照明装置１０において誤作動が生じることを防止することができる。
【００８１】
照明制御システム１００において、照明装置１０は、開始信号を受信した場合に、開始信号の受信を報知するための所定の照明の状態で点灯する。
【００８２】
この構成によれば、プログラムを実際に書き換えている照明装置１０が、例えば、通常時に点灯する状態と異なった所定の照明の状態で点灯することにより、プログラムの更新が成功したかどうかを作業者が容易に判断することができる。このように、この構成によれば、プログラムの更新の作業性を向上させることができる。
【００８３】
なお、プログラムのデータを記録部３３が記録する間に調光される照明装置１０の所定の照明の状態としては、点滅することに限定されず、通常の調光の状態と異なる点灯の状態に変化していればよく、様々な色調と光度とが組み合わされた別の調光の状態であってもよい。点灯状態が変化する光源としては、照明装置１０において通常使用される照明用の光源に限らない。照明装置１０は、専用の光源を別に備え、プログラムのデータを記録部３３が記録する間に、当該別の光源がインジケータとして発光するように構成されていてもよい。
【００８４】
なお、記録部としては、マイコン１３が記録部３３を含む構成であることに限定されない。照明装置１０は、マイコン１３とは別に構成された記録部を有していてもよい。また、受信部としては、マイコン１３が受信部３１を含む構成であることに限定されない。照明装置１０は、マイコン１３とは別に構成された他の受信部を有していてもよい。
【００８５】
なお、更新されるプログラムとしては、調光の制御のために用いられるプログラムに限定されず、フェードインまたはフェードアウトの制御のために用いられるプログラム等、照明の制御に用いられるプログラムであればよい。なお、照明制御システム１００とは異なり、ボリュウム等で調光させる安価な調光装置においては、調光装置から送信される信号を推移させながらフェードインまたはアウトを実現することはできず、特別な調光装置が必要であるため、照明装置において対応する必要がある。
【００８６】
なお、プログラムの更新時において、調光装置１と制御装置２０とは図２に示すように同時に接続されることに限定されず、制御装置２０のみが調光装置１に独立して接続されていてもよい。
【００８７】
なお、プログラムを書き換えるための信号を送信する端末は、ＰＣ等の制御装置に限定されない。プログラムを書き換えるための信号は、照明装置１０に接続された調光装置１が調光信号を送信する機能を有することによって、調光装置１が送信する信号であってもよい。
【００８８】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００８９】
１：調光装置、１３：マイコン、１０照明装置、３１：受信部、３２：判定部、３３：記録部、１００：照明制御システム
【図１】
2014093249.tif 000003
【図２】
2014093249.tif 000004
【図３】
2014093249.tif 000005
【図４】
2014093249.tif 000006
【図５】
2014093249.tif 000007
【図６】
2014093249.tif 000008
【図７】
2014093249.tif 000009
【図８】
2014093249.tif 000010